【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
第１の事象の発生回数を計数する第１計数手段と、
第２の事象の発生回数を計数する第２計数手段と、
前記第１の事象の発生回数の計数を許容しなくなる上限値に達した否かを判定する第１判定手段と、
前記第１判定手段により判定された判定結果に応じて、前記第１計数手段による前記第１の事象の発生回数の計数と、前記第２計数手段による前記第２の事象の発生回数の計数とを停止させる停止手段と、
初期化条件が成立した場合、前記第１計数手段が計数する第１の事象の発生回数と前記第２計数手段が計数する第２の事象の発生回数との両方を初期化する初期化手段と、
を備えたことを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、遊技を行う遊技機に関する。
【手続補正４】
【補正対象書類名】明細書
【補正対象項目名】０００２
【補正方法】変更
【補正の内容】
【０００２】
遊技機において発生する事象を計数する遊技機がある。
【手続補正５】
【補正対象書類名】明細書
【補正対象項目名】０００３
【補正方法】削除
【補正の内容】
【手続補正６】
【補正対象書類名】明細書
【補正対象項目名】０００５
【補正方法】変更
【補正の内容】
【０００５】
ある事象の発生回数が上限値に達した場合に、他の事象の発生回数の計数を停止せずに、計数を継続した場合に正しい比率が導き出せないという問題がある。
【手続補正７】
【補正対象書類名】明細書
【補正対象項目名】０００６
【補正方法】変更
【補正の内容】
【０００６】
本発明は、このような問題点に着目してなされたものであり、正しい比率を導くことが可能な遊技機を提供することを目的とする。
【手続補正８】
【補正対象書類名】明細書
【補正対象項目名】０００７
【補正方法】変更
【補正の内容】
【０００７】
上記課題を解決するために、本発明は、第１の事象の発生回数を計数する第１計数手段と、第２の事象の発生回数を計数する第２計数手段と、前記第１の事象の発生回数の計数を許容しなくなる上限値に達した否かを判定する第１判定手段と、前記第１判定手段により判定された判定結果に応じて、前記第１計数手段による前記第１の事象の発生回数の計数と、前記第２計数手段による前記第２の事象の発生回数の計数とを停止させる停止手段と、初期化条件が成立した場合、前記第１計数手段が計数する第１の事象の発生回数と前記第２計数手段が計数する第２の事象の発生回数との両方を初期化する初期化手段と、を備えたことを特徴とする遊技機。
（１）他の態様に係る遊技システムは、遊技機（例えば、スロットマシン１、パチンコ遊技機等）、管理装置（例えば管理サーバ１０００等）、及び携帯端末（例えば、携帯端末１００１等）を含む遊技システムにおいて、前記遊技機は、所定の開始操作（例えば、図１３、図１４に示されるパスワード入力等）がなされてから所定の終了操作（例えば、図１６に示される「２次元コード作成」の選択等）がなされるまでの期間における遊技履歴情報を取得する取得手段（例えば、図２６のステップＳ１０１等）と、前記取得手段により取得された前記遊技履歴情報にもとづく履歴関連情報（例えば、図１６（ｂ）に示される２次元コードに格納された情報等）を出力する出力手段（例えば、図２６のステップＳ１１０等）とを備え、前記履歴関連情報は、前記遊技機が一般営業用の遊技機か、該一般営業用の遊技機とは異なる遊技機か否かを前記携帯端末が判定する判定情報（例えば、図２４の機種判定情報等）を含み、前記携帯端末は、前記履歴関連情報を取得し、前記履歴関連情報にもとづく管理情報（例えば、図１６（ｃ）に示される「data」にセットされる情報等）を前記管理装置に送信し、前記管理装置は、前記管理情報により、前記遊技機が一般営業用の遊技機か、該一般営業用の遊技機とは異なる遊技機か否かを判定する（例えば、機種判定情報は、図３９のステップＳ１１０８の判定により、ステップＳ１１０９で遊技履歴データベースを更新するか、ステップＳ１１１１で更新不可を送信するなど、管理サーバが管理する情報であるか否かを判定する）ことを特徴とする遊技システム。
【手続補正９】
【補正対象書類名】明細書
【補正対象項目名】０００９
【補正方法】変更
【補正の内容】
【０００９】
（２）他の態様に係る遊技システムは、遊技機（例えば、スロットマシン１、パチンコ遊技機等）、管理装置（例えば管理サーバ１０００等）、及び携帯端末（例えば、携帯端末１００１等）を含む遊技システムにおいて、前記遊技機は、専用情報（例えば、履歴関連情報等）と、汎用情報（例えば、携帯端末１００１に専用アプリをダウンロードするために管理サーバ１０００に接続するための情報と、特定情報とを含む情報等）とを出力情報として出力可能な出力手段（例えば、サブ制御部９１等）を備え、前記専用情報は、前記携帯端末にインストールされた専用アプリで内容を特定可能であり、前記汎用情報は、前記携帯端末にインストールされた前記専用アプリとは異なる汎用アプリで内容を特定可能であり、前記専用情報は特定情報（例えば、日時情報等）を含まない一方、前記汎用情報は特定情報を含み、前記携帯端末は、前記管理装置に接続する接続手段（例えば、通信部２１０等）を備え、前記専用アプリは、前記接続手段により前記管理装置に接続可能であることを条件として（例えば、図３３のステップＳ６０３でＮＯ等）、前記遊技機により出力された前記専用情報を読み取ることを特徴とする遊技システム。
【手続補正１０】
【補正対象書類名】明細書
【補正対象項目名】００１１
【補正方法】変更
【補正の内容】
【００１１】
（３）他の態様に係る遊技システムは、遊技機（例えば、スロットマシン１、パチンコ遊技機等）、管理装置（例えば管理サーバ１０００等）、及び携帯端末（例えば、携帯端末１００１等）を含む遊技システムにおいて、前記遊技機は、専用情報（例えば、履歴関連情報等）と、汎用情報（例えば、携帯端末１００１に専用アプリをダウンロードするために管理サーバ１０００に接続するための情報と、特定情報とを含む情報等）とを出力情報として出力可能な出力手段（例えば、サブ制御部９１等）を備え、前記専用情報は、前記携帯端末にインストールされた専用アプリで内容を特定可能（例えば、「data」にセットされた文字列が管理情報であることが特定可能）であり、前記汎用情報は、前記携帯端末にインストールされた前記専用アプリとは異なる汎用アプリで内容を特定可能（携帯端末１００１に専用アプリをダウンロードするために管理サーバ１０００に接続するための情報と特定可能）であり、前記専用情報は特定情報（日時情報）を含まない一方、前記汎用情報は特定情報を含み、前記携帯端末は、前記管理装置に接続する接続手段（例えば、通信部２１０等）と、時刻を特定する時刻特定手段（例えば、ＲＴＣ２１２等）とを備え、前記専用アプリは、前記接続手段により前記管理装置に接続可能であることを条件として（例えば、図３３のステップＳ６０３でＮＯ等）、前記遊技機により出力された前記専用情報を読み取り、前記専用アプリにより、前記専用情報が読み取られた時刻を前記時刻特定手段により特定可能（例えば、図３３のステップＳ６０７等）であることを特徴とする遊技システム。
【手続補正１１】
【補正対象書類名】明細書
【補正対象項目名】００１９
【補正方法】変更
【補正の内容】
【００１９】
（７）他の態様に係る遊技機は、遊技を行うことが可能な遊技機（例えば、スロットマシン１、パチンコ遊技機等）であって、専用情報（例えば、履歴関連情報等）と、汎用情報（例えば、携帯端末１００１に専用アプリをダウンロードするために管理サーバ１０００に接続するための情報と、特定情報とを含む情報等）とを出力情報として出力可能な出力手段（例えば、サブ制御部９１等）を備え、前記専用情報は、前記携帯端末にインストールされた専用アプリで内容を特定可能であり、前記汎用情報は、前記携帯端末にインストールされた前記専用アプリとは異なる汎用アプリで内容を特定可能であり、前記専用情報は特定情報（例えば、日時情報等）を含まない一方、前記汎用情報は特定情報を含むことを特徴とする遊技機。